(57)【要約】【課題】着用時の外観を良好に維持できるブラジャーを提供する。  【解決手段】ブラジャー１０は、左右カップ部１２、１３を含む前面部と、この前面部に連なり、かつ切りっぱなしの生地で構成された左右背面部１４、１５と、左右カップ部１２、１３及び左右背面部１４、１５のそれぞれに接続された左右ストラップ部１６、１７とを備え、左右背面部１４、１５のそれぞれは、左右ストラップ部１６、１７との接続位置に向けて延出する延出部Ｒを含み、左右背面部１４、１５のそれぞれにおいて、前面部側から左右ストラップ部１６、１７側に向けて幅が単調増加し、左右背面部１４、１５の延出部Ｒのそれぞれにおいて、左右ストラップ部１６、１７との接続位置に向けて幅が単調減少する。【選択図】図１
2013053394.tif 000002
【特許請求の範囲】
【請求項１】
左右のカップ部を含む前面部と、
前記前面部に連なり、かつ切りっぱなしの生地で構成された左右の背面部と、
前記左右のカップ部及び前記左右の背面部のそれぞれに接続された左右のストラップ部とを備え、
前記左右の背面部のそれぞれは、前記左右のストラップ部との接続位置に向けて延出する延出部を含み、
前記左右の背面部のそれぞれにおいて、前記前面部側から前記左右のストラップ部側に向けて幅が単調増加し、
前記左右の背面部の延出部のそれぞれにおいて、前記左右のストラップ部との接続位置に向けて幅が単調減少する、ブラジャー。
【請求項２】
前記左右の背面部は、縦方向の伸度が２００％以上３００％以下であり、横方向の伸度が１００％以上２００％以下である、請求項１に記載のブラジャー。
【請求項３】
前記左右の背面部を係止した状態において、前記左右の背面部と前記左右のストラップ部との接続位置は、前記左右のカップ部と前記左右のストラップ部との接続位置よりも中心側に位置する、請求項１または２に記載のブラジャー。
【発明の詳細な説明】
【技術分野】
【０００１】
本発明は、ブラジャーに関する。
【背景技術】
【０００２】
一般に、ブラジャーは、生地を裁断・縫製して製造され、その端部では、生地の裁断端縁を折り返して縫着したり、テープ等の別布を包み込んで縫着したりして、端縁周囲のほつれ止めの後処理が行われている。
しかし、生地の裁断端縁の縫着などの後処理により、ブラジャーを着用した時に外衣を通してブラジャーの少なくとも一部が外観に現れるという問題があった。
【０００３】
そこで、特開２００３−１４７６１８号公報（特許文献１）には、図５に示すように、伸縮性たて編地を縁の一部または全部が裁断された、所謂切りっぱなしの生地を複数枚接着剤で貼り合わせて、ブラジャー１００のバック布１２１に用いることが開示されている。
【先行技術文献】
【特許文献】
【０００４】
【特許文献１】特開２００３−１４７６１８号公報
【発明の概要】
【発明が解決しようとする課題】
【０００５】
しかしながら、上記特許文献１に開示されたブラジャー１００を、肉質の比較的柔らかい高齢者等が着用した場合には、背中の贅肉の膨出を抑制できない場合があった。
【０００６】
また、上記特許文献１に開示されたブラジャー１００にストラップを取り付けると、バック布１２１は上下方向に伸縮する伸縮性たて編地であるので、ストラップを取り付けたブラジャーを着用したときに、バック布１２１におけるストラップ取付位置がストラップによって上に引っ張られて、バック布１２１にシワが発生する場合があることを本発明者は初めて明らかにした。
【０００７】
このように、上記特許文献１のブラジャー１００においては、背中の贅肉の膨出の抑制が不十分であり、また、ストラップを設けたときにバック布１２１にシワが発生するなど、着用時の外観を良好に維持することができないという問題があった。
【０００８】
本発明は、上記問題点に鑑み、着用時の外観を良好に維持できるブラジャーを提供することを課題とする。
【課題を解決するための手段】
【０００９】
本発明のブラジャーは、左右のカップ部を含む前面部と、該前面部に連なり、かつ切りっぱなし可能な生地で構成された左右の背面部と、該左右のカップ部及び該左右の背面部のそれぞれに接続された左右のストラップ部とを備え、該左右の背面部のそれぞれは、該左右のストラップ部との接続位置に向けて延出する延出部を含み、該左右の背面部のそれぞれにおいて、該前面部側から該左右のストラップ部側に向けて幅が単調増加し、かつ該左右の背面部の延出部のそれぞれにおいて、該左右のストラップ部との接続位置に向けて幅が単調減少する。
【００１０】
本発明のブラジャーによれば、左右の背面部が切りっぱなしの生地で構成されているので、左右の背面部の端縁が外衣に現れることを抑制することができる。この状態で、左右の背面部において、前面部側から左右のストラップ部側に向けて幅が単調増加しているので、左右の背面部の面積を大きくすることができる。これにより、左右の背面部で保持する背中の面積を大きくできるので、背中の贅肉の膨出を抑制することができる。
また、左右の背面部の延出部において、左右のストラップ部との接続位置に向けて幅が単調減少している。これにより、ブラジャーの着用時に、左右のストラップ部が左右の背面部のそれぞれを上方に引っ張っても、左右の背面部にシワが生じにくいことを本発明者は見出した。このため、左右の背面部の面積を最大限確保した状態で、ブラジャーの着用時に左右の背面部にシワが発生することを抑制できる。
以上より、本発明は、着用時の外観を良好に維持できるブラジャーを提供することができる。
【００１１】
本発明のブラジャーにおいて好ましくは、上記左右の背面部は、縦方向の伸度が２００％以上３００％以下であり、横方向の伸度が１００％以上２００％以下である。
【００１２】
縦方向及び横方向に上記範囲内で伸びる生地を左右の背面部に用いても、左右の背面部において左右のストラップ部との接続点に向けて幅が単調減少するように延出部を形成することで、着用時にシワの発生を抑制できる。また、縦方向及び横方向に上記範囲で伸びる生地を背面部に用いることにより、背面部の贅肉の膨出をより抑制できる。したがって、着用時の外観をより良好に維持できるブラジャーを提供することができる。
【００１３】
本発明のブラジャーにおいて好ましくは、上記左右の背面部を係止した状態において、上記左右の背面部と上記左右のストラップ部との接続位置は、上記左右のカップ部と上記左右のストラップ部との接続位置よりも中心側に位置する。
【００１４】
露出が相対的に小さい背面側において相対的に中心側にストラップ部を位置付けることにより、ストラップ部が体の動きに追従しやすいのでストラップがずれにくくなる。露出が相対的に大きい前面側において相対的に外側にストラップ部を位置付けることにより、前面側でストラップが衣服から見えることを抑制できる。したがって、着用時の外観をより良好に維持できるとともに、ストラップのずれを抑制できるブラジャーを提供することができる。
【発明の効果】
【００１５】
以上説明したように、本発明は、着用時の外観を良好に維持できるブラジャーを提供することができる。
【図面の簡単な説明】
【００１６】
【図１】本発明の実施の形態におけるブラジャーの表面側を概略的に示す平面図である。
【図２】本発明の実施の形態におけるブラジャーの左見頃の表面側を概略的に示す平面図である。
【図３】本発明の実施の形態におけるブラジャーの左身頃の裏面側を概略的に示す平面図である。
【図４】本実施の形態におけるブラジャーの左右背面部を係止した状態を概略的に示す平面図である。
【図５】特許文献１におけるブラジャーを示す斜視図である。
【発明を実施するための形態】
【００１７】
以下、図面に基づいて本発明の実施の形態を説明する。なお、以下の図面において同一または相当する部分には同一の参照符号を付し、その説明は繰り返さない。
【００１８】
図１〜図４を参照して、本発明の一実施の形態におけるブラジャーについて説明する。図１〜図４に示すように、本発明の実施の形態におけるブラジャー１０は、土台部１１と、左カップ部１２と、右カップ部１３と、左背面部１４と、右背面部１５と、左ストラップ部１６と、右ストラップ部１７と、左係合部１８と、右係合部１９とを備えている。前面部は、土台部１１と左右カップ部１２、１３とを含み、前身頃を構成する。
【００１９】
前面部は、左右背面部１４、１５に連なっている。左右ストラップ部１６、１７のそれぞれは、左右カップ部１２、１３及び左右背面部１４、１５と接続されている。左右係合部１８、１９のそれぞれは、左右背面部１４、１５に連結されている。
【００２０】
土台部１１は、左右カップ部１２、１３を連結する。
土台部１１は、左右カップ部１２、１３の下方（左右カップ部１２、１３の脇側に位置する円弧状部分の下側の一部）を取り囲んでおり、左右カップ部１２、１３の脇側に位置する円弧状部分の上方の少なくとも一部をさらに取り囲んでいてもよく、左右カップ部１２、１３の脇側に位置する円弧状部分のすべてを取り囲んでいてもよい。また、土台部１１は省略されてもよい。
【００２１】
左右カップ部１２、１３のそれぞれは、左右の乳房をそれぞれ覆う。なお、左右カップ部１２、１３は、ワイヤを含んでいてもよく、ワイヤを含んでいなくてもよい。
【００２２】
左右背面部１４、１５のそれぞれは、前面部の上端及び下端と連なっている。言い換えると、左右背面部１４、１５の上端縁及び下端縁は、前面部の上端縁及び下端縁とそれぞれ連なっている。本実施の形態では、左右背面部１４、１５のそれぞれは、土台部１１の脇側端縁と縫合されて、縫合部１１ａを形成している。
また、左右背面部１４、１５のそれぞれは、左右ストラップ部１６、１７と接続されており、本実施の形態では縫合されて、縫合部１４ａ、１５ａを形成している。
【００２３】
左右背面部１４、１５のそれぞれにおいて、前面部側（図１における縫合部１１ａ）から左右ストラップ部１６、１７側（図１における縫合部１４ａ、１５ａ）に向けて幅Ｘ（図２参照）が単調増加している。
ここで、「幅Ｘが単調増加」とは、前面部側から左右ストラップ１６、１７側に向けて、幅Ｘが常に同じまたは増加しており、かつ、左右背面部１４、１５において、前面部との接続位置の幅よりも左右ストラップ部１６、１７との接続位置の幅の方が大きいことを意味する。
また、「幅Ｘ」とは、左右背面部１４、１５の前面部側の上端縁１４ｂ１と下端縁１４ｃとの距離である。
【００２４】
左右背面部１４、１５のそれぞれにおいて、左右ストラップ部１６、１７側から左右係合部１８、１９側に向けて幅Ｘは単調減少している。左右背面部１４、１５において、左右係合部１８、１９と接続される位置での幅は、前面部と接続される位置での幅よりも小さく、左右ストラップ１６、１７側から左右係合部１８、１９側への減少幅は前面部側からストラップ側への増加幅よりも大きい。
【００２５】
左右背面部１４、１５のそれぞれは、左右ストラップ部１６、１７との接続位置に向けて延出する延出部Ｒを含む。延出部Ｒは、左右背面部１４、１５において、前面部と左右背面部１４、１５との接続上端点Ｐ（図２参照）を左及び右方向にそれぞれ延ばした仮想線Ｌ（図２参照）より上方に位置する領域である。仮想線Ｌは、左右背面部１４、１５の下端縁１４ｃ、１５ｃと略平行である。延出部Ｒは、左右背面部１４、１５における左右ストラップ部１６、１７との接続位置Ｃ近傍に形成されている。
【００２６】
左右背面部１４、１５の延出部Ｒのそれぞれにおいて、左右ストラップ部１６、１７との接続位置Ｃに向けて幅Ｙが単調減少する。本実施の形態の左右背面部１４、１５における延出部Ｒのそれぞれは、テーパ状に先細りしている。
「幅Ｙが単調減少」とは、下方から上方に向けて、幅Ｙが常に同じまたは減少しており、かつ上方であるストラップとの接続位置Ｃにおける幅が下方の幅よりも小さいことを意味する。
また、「幅Ｙ」とは、延出部Ｒの前面部側の上端縁１４ｂ１と係合部１８、１９側の上端縁１４ｂ２との距離である。
また、「接続位置Ｃ」は、左右背面部１４、１５と左右ストラップ部１６、１７とがそれぞれ接続された領域（本実施の形態では縫合部１４ａ、１５ａ）の下端である。
【００２７】
左右背面部１４、１５の上端縁のうち、左右ストラップ部１６、１７よりも前面部と反対側に位置する上端縁１４ｂ２、１５ｂ２は、鉛直方向に対して４５°未満（図２における角度θ１が４５°未満）になるように延びている。言い換えると、左右係合部１８、１９の上端縁１８ａ、１９ａの延在方向と、左右背面部１４、１５において左右係合部１８、１９の上端縁１８ａ、１９ａと接続する上端縁１４ｂ２、１５ｂ２の延びる方向とのなす角度（図２における角度θ２）が４５°以上９０°以下である。
ここで、左右背面部１４、１５の上端縁１４ｂ２、１５ｂ２が曲線である場合には、左右背面部１４、１５の上端縁１４ｂ２、１５ｂ２において左右係合部１８、１９との接続位置での接線として角度θ１、θ２を決定する。
このように、左右背面部１４、１５の左右係合部１８、１９側の上端縁１４ｂ２、１５ｂ２を急激に立ち上がる構造とすることにより、ブラジャー１０の着用時に左右背面部１４、１５にシワが発生することをより抑制できる。また、左右背面部１４、１５の面積をより大きくできるので、背中の贅肉の膨出をより抑制することができる。
【００２８】
左右背面部１４、１５の前面部側の上端１４ｂ１、１５ｂ１と、前面部の上端縁とのそれぞれは、凹状の曲線になるように形成されている。
【００２９】
左右背面部１４、１５のそれぞれは、切りっぱなしの生地で構成されている。
ここで、「切りっぱなしの生地」とは、裁ち目が解かれることを防止するために縁の始末が不要な生地を意味する。切りっぱなしの生地としては、例えば、特開２００３−２０１６５４号公報、特開２００５−３２０６４２号公報、特開２００７−１３１９５６号公報、特開２００８−６９４８６号公報、特開２００８−１８４７０２号公報、特開２００８−２４０１８３号公報などに記載されている生地を用いることができる。
【００３０】
左右背面部１４、１５を構成する生地において、縦方向の伸度が２００％以上３００％以下であり、かつ横方向の伸度が１００％以上２００％以下であることが好ましく、縦方向の伸度が２３７％以上２７７％以下であり、かつ横方向の伸度が１５８％以上１８９％以下であることがより好ましい。伸度がこの範囲内であると、着用時に左右背面部１４、１５の贅肉の膨出をより抑制することができる。
【００３１】
ここで、上記伸度とは、ＪＩＳ  Ｌ  １０９６  ８．１４  Ａ法（ストリップ法）に準拠して測定される値である。具体的には、ＪＩＳ  Ｌ  １０１８により計測され、試験条件は、試験片の大きさ：幅２．５ｃｍ×長さ２０ｃｍ、つかみ間隔：１０ｃｍ、初荷重：２９ｍＮ、引張速度：１分間当たり、つかみ間隔の１００％の伸張とし、一定荷重を、９．８１Ｎ、１４．７０Ｎ、２２．１０Ｎのいずれかに設定して測定された値である。
【００３２】
左右背面部１４、１５を構成する生地において、横方向の伸度に対する縦方向の伸度の比は、１．０以上３．０以下であることが好ましく、１．５以上１．８以下であることがより好ましい。横方向の伸度に対する縦方向の伸度の比がこの範囲内であると、縦方向及び横方向の両方に大きな差がなく伸びるため、着用時に左右背面部１４、１５の贅肉の膨出をより抑制することができる。
【００３３】
左右背面部１４、１５を構成する生地において、縦方向のパワーが２０００ｇｆ以上９０００ｇｆ以下であり、かつ横方向のパワーが１５００ｇｆ以上１００００ｇｆ以下であることが好ましく、縦方向のパワーが２１００ｇｆ以上８３００ｇｆ以下であり、かつ横方向のパワーが１６００ｇｆ以上９０００ｇｆ以下であることが好ましい。パワーがこの範囲であると、着用時に左右背面部１４、１５の贅肉をより抑えることができる。
【００３４】
ここで、上記パワーとは、ＪＩＳ  Ｌ  １０１８  ８．１５  １  伸長弾性率  Ａ法に準拠して測定される値である。具体的には、試験条件は、縦方向及び横方向の試験片の大きさ：幅５．０ｃｍ×長さ２５ｃｍ、つかみ間隔：２０ｃｍ、引張速度：３０ｃｍ／分、上昇速度：５０ｃｍ／分、チャート速度０．５ｃｍ／分とし、試験片の上部を掴み、掴み間隔２０ｃｍとして引張り試験機に取り付け、描いた伸度拡回復曲線から伸度率３０％、５０％、８０％の伸長率及び緊迫力から求める。
【００３５】
左右背面部１４、１５の裏面側（体に接触する側）の下端縁１４ｃ、１５ｃを含む下方領域（図３における領域１４ｄ）は、パイル編組織による突起状構造を有する伸縮性編地のヘムで構成されている。この突起状の領域は、例えば、パイル状編目を構成する挿入糸が編み込まれることにより形成され、切りっぱなし可能な生地と一体に設けられる。
【００３６】
左右ストラップ部１６、１７と左右カップ部１２、１３とのそれぞれは、例えば留め具を介して接続されている。左右ストラップ部１６、１７と左右背面部１４、１５とのそれぞれは、縫合部１４ａ、１５ａで縫合されている。なお、左右ストラップ部１６、１７と、左右カップ部１２、１３及び左右背面部１４、１５との接続手段は特に限定されない。
【００３７】
左右ストラップ部１６、１７のそれぞれは、例えば肩ひもである。左右ストラップ部１６、１７は、例えば長さを調節する調節部１６ａ、１７ａを含んでいてもよい。
【００３８】
図４に示すように、着用時において、左右背面部１４、１５と左右ストラップ部１６、１７との接続位置（本実施の形態では縫合部１４ａ、１５ａ）は、左右カップ部１２、１３と左右ストラップ部１６、１７との接続位置（本実施の形態では接続部１２ａ、１３ａ）よりも中心側に位置する。
ここで、中心側とは、着用時に体の中心（背骨）に近い側を意味する。
【００３９】
左右係合部１８、１９は、左右背面部１４、１５における左右カップ部１２、１３と反対側の端縁に接続されている。本実施の形態の左右係合部１８、１９は、左右背面部１４、１５の端縁を含む端部と縫合されている。左右係合部１８、１９は、互いに係合可能であり、背面で左右背面部１４、１５のそれぞれを固定する。左右係合部１８、１９は、例えば、布と、この布に形成された互いに係止可能なフックとを含んでいる。
なお、左右係合部１８、１９は、前面部に形成されてもよく、省略されてもよい。
【００４０】
以上説明したように、本発明の実施の形態におけるブラジャー１０は、左右カップ部１２、１３を含む前面部と、この前面部に連なり、かつ切りっぱなしの生地で構成された左右背面部１４、１５と、左右カップ部１２、１３及び左右背面部１４、１５のそれぞれに接続された左右ストラップ部１６、１７とを備え、左右背面部１４、１５のそれぞれは、左右ストラップ部１６、１７との接続位置に向けて延出する延出部Ｒを含み、左右背面部１４、１５のそれぞれにおいて、前面部側から左右ストラップ部１６、１７側に向けて幅Ｘが単調増加し、左右背面部１４、１５の延出部Ｒのそれぞれにおいて、左右ストラップ部１６、１７との接続位置Ｃに向けて幅Ｙが単調減少する。
【００４１】
本発明の実施の形態におけるブラジャー１０によれば、左右背面部１４、１５が切りっぱなしの生地で構成されているので、左右背面部１４、１５の端縁が外衣に現れることを抑制することができる。この状態で、左右背面部１４、１５において、前面部側から左右ストラップ部１６、１７側に向けて幅Ｘが単調増加しているので、左右背面部１４、１５の面積を大きくすることができる。これにより、左右背面部１４、１５で保持する背中の面積を大きくできるので、背中の贅肉を押さえて、膨出を抑制することができる。左右背面部１４、１５で背中の贅肉の膨出を抑制することによって、左右の背面部１４、１５の下端１４Ｃ、１５Ｃと背中の贅肉との段差を抑制することもでき、ブラジャー１０の着用時にブラジャー１０が外衣に現れることを抑制できる。
さらに、左右背面部１４、１５の延出部Ｒにおいて、左右ストラップ部１６、１７との接続位置Ｃに向けて幅Ｙが単調減少している。これにより、ブラジャー１０の着用時に、左右ストラップ部１６、１７が左右背面部１４、１５を上方向に引っ張っても、延出部Ｒでバランスよく伸びを吸収できるので、左右背面部１４、１５における左右ストラップ部１６、１７の取付（接続）位置に発生するシワを抑制できる。このため、左右背面部１４、１５の面積を最大限確保した状態で、ブラジャー１０の着用時に背面部にシワが発生することを抑制できる。
以上より、本発明の実施の形態におけるブラジャー１０は、着用時の外観を良好に維持できる。
【００４２】
このように、本実施の形態のブラジャー１０は、着用者の肉質を問わず、着用時の外観を良好に維持できるので、肉質のやわらかい高齢者（例えば６０歳以上の高齢者）や、ファッション性を重視する人に好適に用いられる。
【００４３】
今回開示された実施の形態すべての点で例示であって制限的なものではないと考えられるべきである。本発明の範囲は上記した実施の形態ではなくて特許請求の範囲によって示され、特許請求の範囲と均等の意味及び範囲内でのすべての変更が含まれることが意図される。
【符号の説明】
【００４４】
１０  ブラジャー、１１  土台部、１１ａ，１４ａ，１５ａ  縫合部、１２  左カップ部、１２ａ，１３ａ  接続部、１３  右カップ部、１４  左背面部、１４ｂ１，１４ｂ２，１５ｂ１，１５ｂ２，１８ａ  上端縁、１４ｃ，１５ｃ  下端縁、１４ｄ  領域、１５  右背面部、１６  左ストラップ部、１６ａ，１７ａ  調節部、１７  右ストラップ部、１８  左係合部、１９  右係合部、Ｃ  接続位置、Ｌ  仮想線、Ｐ  接続上端点、Ｒ  延出部、Ｘ，Ｙ  幅、θ１，θ２  角度。
【図１】
2013053394.tif 000003
【図２】
2013053394.tif 000004
【図３】
2013053394.tif 000005
【図４】
2013053394.tif 000006
【図５】
2013053394.tif 000007